(57)【要約】【課題】専用スタッカを外部に付設することなく、また、装置寸法を増加させることなく、連続作成可能なメディア枚数を増やすことのできるメディア処理装置を提案すること。【解決手段】ＣＤパブリッシャ１は第１〜第４スタッカ１１〜１４を備え、第３スタッカ１３はレーベルプリンタ５のプリンタトレイ８１のメディア受け渡し位置８１Ａの真下に配置され、第４スタッカ１４はメディア取り出し口３１ａに隣接した位置に配置されメディア取り出し部として機能する。多数枚のメディア連続作成時には、第１スタッカ１１から取り出したブランクメディア２Ａを処理し、得られた作成済みメディア２Ｂを第３スタッカ１３、第４スタッカ１４の順に収納し、第１スタッカ１１が空になった後は第２スタッカ１２からブランクメディア２Ａを取り出して処理し、得られた作成済みメディア２Ｂを空になった第１スタッカ１１に収納する。【選択図】図１
2007305273.tif 000002
【特許請求の範囲】
【請求項１】
ＣＤ、ＤＶＤなどのメディアを保管するメディア保管部と、
メディアへのデータの書き込み、およびメディアからのデータの読み出しを行うメディ
アドライブ、および、メディアのレーベル面に印刷を行うレーベルプリンタのうちの少な
くとも一方を備えたメディア処理部と、
メディアを搬送するメディア搬送部とを有し、
前記メディア処理部は、前記メディア搬送部によるメディア搬送経路上に位置するメデ
ィア受け渡し位置、および、当該メディア受け渡し位置から退避したメディア処理位置の
間でメディアを搬送するメディアトレイを備えており、
前記メディア保管部は第１ないし第４スタッカを備えており、各スタッカには、メディ
アが厚さ方向に積み重ねられた状態で収納され、その上端開口部を介してメディアの受け
渡しが行われるようになっており、
前記第１スタッカないし第３スタッカは、それぞれ、前記メディア搬送経路上に配置さ
れ、前記第４スタッカは前記第３スタッカに隣接した前記メディア搬送経路から外れた位
置に配置されており、
前記第３スタッカは、前記メディアトレイの前記メディア受け渡し位置の下側に配置さ
れており、
前記第４スタッカの近傍位置でメディア搬送部から開放されたメディアを、前記メディ
アトレイを用いて第４スタッカに案内可能となっていることを特徴とするメディア処理装
置。
【請求項２】
請求項１において、
前記第４スタッカの近傍位置で前記メディア搬送部から開放されたメディアが、前記メ
ディア受け渡し位置と前記メディア処理位置の間に位置決めされた前記メディアトレイの
縁端部に沿って前記第４スタッカに向けて滑り落ちるようになっていることを特徴とする
メディア処理装置。
【請求項３】
請求項２において、
前記第３スタッカと前記第４スタッカの間には、前記メディアトレイの縁端部に沿って
滑り落ちるメディアを前記第４スタッカの上端開口部に案内するための傾斜案内面が形成
されていることを特徴とするメディア処理装置。
【請求項４】
請求項２または３において、
前記第４スタッカの近傍位置で前記メディア搬送部から開放されたメディアを、前記メ
ディア処理位置の側に位置する前記メディアトレイによって押し出して前記第４スタッカ
に収納可能となっていることを特徴とするメディア処理装置。
【請求項５】
請求項１ないし４のうちのいずれかの項において、
前記第４スタッカはメディアを装置外部に取り出すためのメディア取り出し部であり、
当該第４スタッカの上端開口部は、装置ケースに開けたメディア取り出し口を介して外
部に露出していることを特徴とするメディア処理装置。
【請求項６】
請求項１ないし５のうちのいずれかの項において、
前記メディア処理部は、前記メディアドライブおよび前記レーベルプリンタの双方を備
えており、
前記メディアドライブは、前記メディア搬送経路上に位置するドライブ側メディア受け
渡し位置、および、当該メディアドライブ内に引き込まれたメディア読み書き位置の間で
メディアを搬送するドライブ側メディアトレイを備えており、
前記レーベルプリンタは、前記メディア搬送経路上に位置するプリンタ側メディア受け
渡し位置、および、当該プリンタ側メディア受け渡し位置から退避したメディア印刷位置
の間でメディアを搬送するプリンタ側メディアトレイを備えており、
前記ドライブ側メディア受け渡し位置および前記プリンタ側メディア受け渡し位置は上
下に配置されており、
下側に位置するメディア受け渡し位置の真下に前記第３スタッカが配置されていること
を特徴とするメディア処理装置。
【請求項７】
請求項６において、
前記第１スタッカおよび第２スタッカは同軸状態で上下に配置されており、
前記メディア搬送機構は、垂直軸線に沿った昇降動作、および、当該垂直軸線周りの旋
回動作を行うメディア搬送アームを備えていることを特徴とするメディア処理装置。
【発明の詳細な説明】
【技術分野】
【０００１】
本発明は、多数枚のブランクＣＤなどのメディアにデータの書き込みを行うディスクダ
ビング装置、データの書き込みとレーベル印刷を行ってメディアを制作して発行可能なＣ
Ｄ／ＤＶＤパブリッシャなどのメディア処理装置に関し、特に、装置寸法の増加を招くこ
となく、より多くの枚数のメディアを連続して作成することのできるメディア処理装置に
関するものである。
【背景技術】
【０００２】
ディスクダビング装置では、一般に、ブランクメディア・スタッカに収納されているブ
ランクＣＤなどのメディアを内蔵のＣＤドライブに供給して、そこに所定のデータを書き
込み、書き込み後の作成済みメディアをメディア・スタッカに保管するように構成されて
いる。ＣＤパブリッシャなどでは、データが書き込まれたＣＤに対して、更に、内蔵のレ
ーベルプリンタによってレーベル印刷を施し、この結果得られる作成済みメディアを作成
済みメディア・スタッカに保管し、あるいは、取り出し口から発行するように構成されて
いる。
【０００３】
このようなメディア処理装置に用いられているメディアの搬送機構としては、垂直軸に
沿って昇降すると共に、当該垂直軸周りに旋回する搬送アームを用いてメディアを搬送す
るものが一般的に知られている。この場合、ブランクメディア・スタッカおよび作成済み
メディア・スタッカとしては一般に、メディアを厚さ方向に積み重ねた状態で収納するも
のが用いられている。特許文献１、２にはこの構成のメディアの搬送機構およびスタッカ
が開示されている。
【０００４】
このような搬送機構およびスタッカを備えている場合には、連続して制作可能なメディ
ア枚数は、ブランクメディア・スタッカの収納枚数に制限される。作成済みメディア・ス
タッカの収納枚数の方が少ない場合には、当該作成済みメディア・スタッカの収納枚数に
制限される。これらのスタッカの収納枚数を増やすことなく、連続制作可能なメディア枚
数を増やすためには、メディア処理装置の外部に専用スタッカを付設する必要がある。ま
たは、メディア処理装置の内部に専用スタッカを増設する必要がある。前者の外部に専用
スタッカを付設する構成は、特許文献３に開示されている。
【特許文献１】特開２００１−１２６３６９号公報
【特許文献２】特開２００１−２８３４９８号公報
【特許文献３】米国特許第６，７６０，０５２号公報
【発明の開示】
【発明が解決しようとする課題】
【０００５】
しかしながら、いずれの場合においても、専用スタッカを付設するための設置スペース
が必要であり、メディア処理装置の設置面積の増加、あるいは、メディア処理装置の寸法
の増加を招くことになる。
【０００６】
特に、メディア搬送機構として一般的に用いられている昇降および旋回式の搬送アーム
を採用しているメディア処理装置では、搬送アームによるメディア搬送経路が搬送アーム
の旋回軌跡上の各高さ位置に制限される。したがって、メディア処理装置内部における専
用スタッカの設置位置に制約があり、場合によっては専用スタッカを設置するスペースを
確保できない場合がある。
【０００７】
搬送アームの旋回軌跡から外れた位置に専用スタッカを設置した場合には、当該専用ス
タッカとの間でメディアの受け渡しを行うための別のメディア搬送機構、例えば、搬送ア
ームに伸縮機構を付設する必要がある。このため、メディア搬送機構の複雑化、装置寸法
の増加を招くので好ましくない。
【０００８】
本発明の課題は、このような点に鑑みて、専用スタッカを外部に付設することなく、ま
た、装置寸法を増加させることなく、連続作成可能なメディア枚数を増やすことのできる
メディア処理装置を提案することにある。
【課題を解決するための手段】
【０００９】
上記の課題を解決するために、本発明のメディア処理装置は、
ＣＤ、ＤＶＤなどのメディアを保管するメディア保管部と、
メディアへのデータの書き込み、およびメディアからのデータの読み出しを行うメディ
アドライブ、および／または、メディアのレーベル面に印刷を行うレーベルプリンタを備
えたメディア処理部と、
メディアを搬送するメディア搬送部とを有し、
前記メディア処理部は、前記メディア搬送部によるメディア搬送経路上に位置するメデ
ィア受け渡し位置、および、当該メディア受け渡し位置から退避したメディア処理位置の
間でメディアを搬送するメディアトレイを備えており、
前記メディア保管部は第１ないし第４スタッカを備えており、各スタッカには、メディ
アが厚さ方向に積み重ねられた状態で収納され、その上端開口部を介してメディアの受け
渡しが行われるようになっており、
前記第１スタッカないし第３スタッカは、それぞれ、前記メディア搬送経路上に配置さ
れ、前記第４スタッカは前記第３スタッカに隣接した前記メディア搬送経路から外れた位
置に配置されており、
前記第３スタッカは、前記メディアトレイの前記メディア受け渡し位置の下側に配置さ
れており、
前記第４スタッカの近傍位置でメディア搬送部から開放されたメディアを、前記メディ
アトレイを用いて第４スタッカに案内可能となっていることを特徴としている。
【００１０】
例えば、前記第４スタッカの近傍位置で前記メディア搬送部から開放されたメディアが
、前記メディア受け渡し位置と前記メディア処理位置の間に位置決めされた前記メディア
トレイの縁端部に沿って前記第４スタッカに向けて滑り落ちるようになっていることを特
徴としている。
【００１１】
この場合、前記第３スタッカと前記第４スタッカの間には、前記メディアトレイの縁端
部に沿って滑り落ちるメディアを前記第４スタッカの上端開口部に案内するための傾斜案
内面が形成されていることが望ましい。
【００１２】
また、前記第４スタッカの近傍位置で前記メディア搬送部から開放されたメディアを、
前記メディア処理位置の側に位置する前記メディアトレイによって押し出して前記第４ス
タッカに収納させるようにしてもよい。
【００１３】
ここで、前記第４スタッカを、メディアを装置外部に取り出すためのメディア取り出し
部として用いることができる。この場合には、当該第４スタッカの上端開口部を、装置ケ
ースに開けたメディア取り出し口を介して外部に露出させておけばよい。
【００１４】
本発明において、第１および第２スタッカは、例えば、従来のメディア処理装置におけ
るブランクメディア・スタッカおよび作成済みメディア・スタッカとして用いられる。通
常の処理動作においては、ブランクメディア・スタッカからブランクメディアを取り出し
て、メディア処理部において処理（例えば、データの書き込み、レーベル面への印刷）を
行った後に、作成済みメディア・スタッカに収納する。
【００１５】
メディアの連続作成動作において、第１および第２スタッカの収納枚数を超える枚数の
メディアを連続作成する場合には、例えば次のように処理する。第１および第２スタッカ
に、それぞれブランクメディアを収納しておく。第１スタッカの一方からブランクメディ
アを取り出して処理し、得られた作成済みメディアをまず第３スタッカに収納する。第３
スタッカが一杯となった後は第４スタッカに収納する。
【００１６】
第４スタッカにメディアを収納する場合には、例えば、メディアトレイを第３スタッカ
の上方のメディア受け渡し位置から所定距離だけ後退させた位置に保持する。第３スタッ
カの上方位置においてメディア搬送部から開放されて落下するメディアは、第３スタッカ
の上端開口部を覆っているメディアトレイの縁端部に沿って滑り落ちて、隣接位置に配置
されている第４スタッカの側に案内され、ここに収納される。
【００１７】
傾斜案内面が形成されている場合には、メディアが速やかに第４スタッカに向かって滑
り落ち、途中でメディアが止まってしまうことを防止できる。
【００１８】
また、途中で止まったメディアを第４スタッカに収納するためには、メディアトレイを
その位置からメディア受け渡し位置に向けて押し出せば、当該メディアトレイによってメ
ディアを第４スタッカに向けて押し出され、そこに収納される。
【００１９】
第３および第４スタッカの合計収納枚数を第１のスタッカの収納枚数以上としておけば
、第１スタッカのブランクメディアが無くなった後に、第２スタッカからブランクメディ
アを供給し、作成済みメディアを空になった第１スタッカに収納できる。この結果、連続
作成枚数を、第１スタッカおよび第２スタッカの合計収納枚数まで増やすことができる。
【００２０】
本発明では、増設した第３スタッカはメディアトレイのメディア受け渡し位置の下側に
配置されている。メディア受け渡し位置の下側は通常はデットスペースとなっており、ま
た、メディア搬送経路上に位置している。したがって、第３スタッカを設置するためのス
ペースを新たに装置内において確保する必要がない。また、メディア受け渡し位置からメ
ディアトレイを退避させれば、メディア搬送部によって当該第３スタッカに対するメディ
アの受け渡しもできるので、第３スタッカを配置したことに起因してメディア搬送部を変
更する必要もない。
【００２１】
また、第４スタッカはメディア搬送部のメディア搬送経路から外れた位置にあるが、メ
ディアトレイを利用することにより、メディア搬送部に変更を加えることなく、メディア
を第４スタッカに収納できる。
【００２２】
したがって、本発明によれば、外部に専用スタッカを付設することなく、また、内部に
増設した第３、４スタッカのために装置寸法の大幅な増加を招くことなく、メディアの連
続作成枚数を増加させることができる。さらに、メディア搬送部を変更することなく、第
３、４スタッカにメディアを搬送して収納することができる。
【００２３】
さらに、第４スタッカが、作成済みメディアなどを装置外部に取り出すためのメディア
取り出し部として機能する場合には、メディアを取り出すためスペースが第４スタッカの
設置スペースとなる。したがって、第４スタッカを配置するために装置内において新たに
スペースを確保する必要がない。
【００２４】
次に、本発明のメディア処理装置において、前記メディア処理部が、前記メディアドラ
イブおよび前記レーベルプリンタの双方を備えており、前記メディアドライブが、前記メ
ディア搬送経路上に位置するドライブ側メディア受け渡し位置、および、当該ドライブ側
メディア受け渡し位置から退避したメディア読み書き位置の間でメディアを搬送するドラ
イブ側メディアトレイを備えており、前記レーベルプリンタが、前記メディア搬送経路上
に位置するプリンタ側メディア受け渡し位置、および、当該プリンタ側メディア受け渡し
位置から退避したメディア印刷位置の間でメディアを搬送するプリンタ側メディアトレイ
を備えている場合には、前記ドライブ側メディア受け渡し位置および前記プリンタ側メデ
ィア受け渡し位置を上下に配置し、下側に位置するメディア受け渡し位置の真下に、前記
第３スタッカを配置すればよい。
【００２５】
また、前記第１スタッカおよび第２スタッカを同軸状態で上下に配置し、前記メディア
搬送機構として、垂直軸線に沿った昇降動作、および、当該垂直軸線周りの旋回動作を行
うメディア搬送アームを備えたものを用いることができる。
【発明の効果】
【００２６】
本発明のメディア処理装置では、増設した第３スタッカはメディアトレイのメディア受
け渡し位置の下側に配置されている。メディア受け渡し位置の下側は通常はデットスペー
スとなっており、また、メディア搬送経路上に位置している。したがって、第３スタッカ
を設置するためのスペースを新たに装置内において確保する必要がない。また、メディア
受け渡し位置からメディアトレイを退避させれば、メディア搬送部によって当該第３スタ
ッカに対するメディアの受け渡しもできるので、第３スタッカを配置したことに起因して
メディア搬送部を変更する必要もない。また、第４スタッカはメディア搬送部のメディア
搬送経路から外れた位置にあるが、メディアトレイを利用することにより、メディア搬送
部に変更を加えることなく、メディアを第４スタッカに収納できる。
【００２７】
したがって、本発明によれば、外部に専用スタッカを付設することなく、また、内部に
増設した第３、４スタッカのために装置寸法の大幅な増加を招くことなく、メディアの連
続作成枚数を増加させることができる。さらに、メディア搬送部を変更することなく、第
３、４スタッカにメディアを搬送して収納することができる。
【発明を実施するための最良の形態】
【００２８】
以下に、図面を参照して、本発明を適用したメディア処理装置の一例を説明する。
【００２９】
図１は本発明を適用したＣＤパブリッシャの概略構成図である。本例のＣＤパブリッシ
ャ１は、ＣＤ、ＤＶＤなどのメディア２（ブランクメディア２Ａおよび作成済みメディア
２Ｂ）を保管するためのメディア保管部３と、メディア２へのデータの書き込み、および
メディア２からのデータの読み出しを行うメディアドライブ４と、データが書き込まれた
メディア２のレーベル面２ａに、書き込みデータを表すタイトル、書き込み年月日などを
含むレーベルを印刷するためのレーベルプリンタ５と、メディア２を搬送するためのメデ
ィア搬送部６と、各部の駆動制御を司る制御部７を有している。制御部７はＬＡＮなどの
通信回線を介して管理サーバ、パーソナルコンピュータなどの上位機器８に接続されてお
り、上記機器８の側から、メディア製作要求（データ書き込み要求、データ追記要求）、
メディア発行要求などが入力される。
【００３０】
メディアドライブ４のメディアトレイ７１（ドライブ側メディアトレイ）に対して、メ
ディア受け渡し位置７１Ａに引き出された状態で、メディア搬送部６によってメディア２
の受け渡しが行われる。メディアトレイ７１に引き渡されたメディア２に対しては、メデ
ィアドライブ４内に引き込まれた処理位置７１Ｂにおいてデータの書き込み、読み出しが
行われる。
【００３１】
レーベルプリンタ５はメディアドライブ４の下側に配置されており、メディア２を搬送
するためのプリンタトレイ８１（プリンタ側メディアトレイ）を備えている。プリンタト
レイ８１は、レーベルプリンタ５による印刷位置８１Ｂと、メディア受け渡し位置８１Ａ
との間を往復移動する。メディア受け渡し位置８１Ａにおいて、メディア搬送部６によっ
てメディア２の受け渡しが行われる。本例では、メディアドライブ４のメディアトレイ７
１のメディア受け渡し位置７１Ａの真下が、プリンタトレイ８１のメディア受け渡し位置
８１Ａとされている。
【００３２】
メディア保管部３は、メディア２を厚さ方向に積層した状態で収納する第１〜第４スタ
ッカ１１〜１４を備えている。第１スタッカ１１および第２スタッカ１２は、本例では、
同軸状態で上下に配置されており、通常は、第１スタッカ１１はブランクメディア２Ａを
収納するためのブランクメディア・スタッカとして機能し、第２スタッカ１２は作成済み
メディア２Ｂを収納するための作成済みメディア・スタッカとして機能する。
【００３３】
第３スタッカ１３は、プリンタトレイ８１のメディア受け渡し位置８１Ａの真下に配置
されている。第４スタッカ１４はメディア取り出し部として機能し、ここに収納されたメ
ディア２が、装置ケース３１に開けたメディア取り出し口３１ａから取り出されるように
なっている。また、メディア連続作成時には、これら第３および第４スタッカ１３、１４
が、作成メディア・スタッカとして用いられる。
【００３４】
ここで、第１〜第３スタッカ１１〜１３は、メディア搬送部６によるメディア搬送経路
上の各位置に配置されており、メディア搬送部６によってメディア２の受け渡しが行われ
る。これに対して第４スタッカ１４はメディア搬送経路から外れた位置に配置されており
、後述のように、プリンタトレイ８１を利用して、メディア搬送部６から開放されたメデ
ィア２が第４トレイ１４に収納されるようになっている。
【００３５】
なお、例えば、第１スタッカ１１および第２スタッカ１２のメディア収納枚数は同一の
ｎ枚とされており、第３スタッカ１３の収納枚数ｎ１と第４スタッカ１４の収納枚数ｎ２
の合計がｎなっている（ｎ、ｎ１、ｎ２：正の整数）。
【００３６】
この構成のＣＤパブリッシャ１では、上位機器８からデータ書き込み要求を受けると、
メディア保管部３の第１スタッカ１１からブランクメディア２Ａを取り出して、メディア
ドライブ４にセットして、データ書き込み要求と共に供給された書き込みデータを書き込
む。次に、書き込み済みメディア２をレーベルプリンタ５にセットして、そのレーベル面
に、同じくデータ書き込み要求と共に供給されたレーベル印刷情報を印刷する。印刷終了
後に、作成済みメディア２Ｂを、メディア保管部３の第２スタッカ１２に収納する。
【００３７】
ｎ枚を超える枚数のメディア２の作成を連続して行う連続作成モードにおいては、必要
枚数分のブランクメディア２Ａが、第１スタッカ１１および第２スタッカ１２に分けて収
納される。例えば、第１スタッカ１１にｎ枚のブランクメディア２Ａが収納され、第２ス
タッカ１２には残りの枚数のブランクメディア２Ａが収納される。そして、第１スタッカ
１１からブランクメディア２Ａを取り出して、データの書き込みと、レーベル印刷を順次
に行い、得られた作成済みメディア２Ｂを、まず、第３スタッカ１３に収納する。第３ス
タッカ１３が一杯になった後は、第４スタッカ１４に収納する。第４スタッカ１４が一杯
になった時点においては、第１スタッカ１１が空になる。この後は、第２スタッカ１２か
らブランクメディア２Ａを供給して、データの書き込みとレーベル印刷を行い、得られた
作成済みメディア２Ｂを、空になっている第１スタッカ１１に収納する。このようにして
、最大で２ｎ枚のメディアを連続して作成することができる。
【００３８】
第４スタッカ１４はメディア取り出し部として機能し、メディア取り出し口３１ａから
そこに収納されている作成済みメディア２Ｂを取り出すことができる。また、メディア発
行（取り出し）要求があると、対象となる作成済みメディア２Ｂが第２スタッカ１２、あ
るいは第３スタッカ１３から取り出されて、第４スタッカ１４に排出される。第４スタッ
カ１４に排出された作成済みメディア２Ｂは、メディア取り出し口３１ａから取り出すこ
とができる。
【００３９】
（ＣＤパブリッシャの具体的構成例）
次に、図２ないし図８を参照して、ＣＤパブリッシャ１の具体的構成例を説明する。
【００４０】
図２はＣＤパブリッシャ１の外観斜視図である。ＣＤパブリッシャ１は、ほぼ直方体形
状の装置ケース３１を備え、この装置ケース３１の前面には、左右に開閉可能な開閉扉３
２、３３が取り付けられている。開閉扉３２、３３の上側には、表示ランプ、操作ボタン
などが配列された操作面３４が形成されている。開閉扉３３の下側には横長い矩形のメデ
ィア取り出し口３１ａが開いている。
【００４１】
図３は、ＣＤパブリッシャ１の内部の主要部分を示す斜視図である。ＣＤパブリッシャ
１の装置ケース３１の内部には、その正面から見て右側の部位に、第１スタッカ１１およ
び第２スタッカ１２が同軸状態で上下に配置されている。第１スタッカ１１は、前方に水
平に引き出し可能なスライド板４１と、このスライド板４１の上に垂直に配置されている
左右一対の円弧状の枠板４２、４３とを備えており、これらにより、メディア２を上端開
口部から受け入れ、同軸状態に積層した状態で収納可能なスタッカが構成されている。第
１スタッカ１１にメディア２を収納あるいは補充する作業は、開閉扉３２を開け、スライ
ド板４１を手前に引き出すことにより、簡単に行うことが可能となっている。
【００４２】
下側の第２スタッカ１２も同一構造となっており、前方に水平に引き出し可能なスライ
ド板４４と、この上面に垂直に配置されている左右一対の円弧状の枠板４５、４６とを備
えており、これらによって、メディア２を上端開口部から受け入れ、同軸状態で積層した
状態で収納可能なスタッカが構成されている。これらの第１、第２スタッカ１１、１２は
、例えば、５０枚（＝ｎ）のメディア２を収納可能となっている。
【００４３】
これら第１および第２スタッカ１１、１２の左隣の部位には、後側に第３スタッカ１３
が配置され、前側に第４スタッカ１４が配置されている。これらのスタッカ１３、１４は
、共通のベース４７と、このベース４７から垂直に起立している側板４８、４９、５０と
によって構成されている。後側の第３スタッカ１３は、後ろ側の側板４８の円弧状内周面
４８ａと、左右の側板４９、５０における後側の円弧状内周面４９ａ、５０ａとによって
構成されており、これらによって規定される上端開口部から受け入れたメディア２が同軸
状態に積層されて収納される。前側の第４スタッカ１４は、左右の側板部分４９、５０の
前側の円弧状内周面４９ｂ、５０ｂによって構成されており、これらによって規定される
上端開口部から受け入れたメディア２が同軸状態に積層されて収納される。
【００４４】
ここで、左右の側板部分４９、５０の上端面４９ｃ、５０ｃはほぼ三角形の平坦面とさ
れており、これらの上端面４９ｃ、５０ｃの前側縁に連続して前方に傾斜した傾斜案内面
４９ｄ、５０ｄが形成されている。これらの傾斜案内面４９ｄ、５０ｄが第４スタッカ１
４の左右の円弧状内周面４９ｂ、５０ｂの上端縁部分に連続している。第３スタッカ１３
は例えば３０枚（＝ｎ１）のメディア２を収納可能であり、第４スタッカ１４は例えば２
０枚（＝ｎ２）のメディア２を収納可能である。
【００４５】
第１、第２スタッカ１１、１２の後側には、メディア搬送部６が配置されている。メデ
ィア搬送部６は、装置ケース３１に垂直に取り付けられているシャーシ５１と、このシャ
ーシ５１の上下の水平支持板部分５２、５３（図６参照）の間に垂直に架け渡されている
垂直ガイド軸５４と、この垂直ガイド軸５４に取り付けたメディア搬送アーム５５とを備
えている。メディア搬送アーム５５は、垂直ガイド軸５４に沿って昇降可能であるととも
に、当該垂直ガイド軸５４を中心に左右に旋回可能である。
【００４６】
次に、メディア搬送部６の後側には、上側にメディアドライブ４が配置され、下側にレ
ーベルプリンタ５が配置されている。図３においては、上側のメディアドライブ４のメデ
ィアトレイ７１が内部に引き込まれた位置７１Ｂにあり、下側のレーベルプリンタ５のプ
リンタトレイ８１も後ろ側のメディア印刷位置８１Ｂにある状態が示されている。レーベ
ルプリンタ５はインクジェットプリンタであり、インク供給源として各色のインクカート
リッジ（図示せず）が用いられており、これらのインクカートリッジがカートリッジ装着
部（図示せず）に装着されている。
【００４７】
ここで、第１〜第３スタッカ１１〜１３はメディア搬送アーム５５によるメディア搬送
経路上に位置している。第１および第２スタッカ１１、１２における左右一対の枠板４２
、４３の間、および左右一対の枠板４５、４６の間には、それぞれ、メディア搬送部６の
メディア搬送アーム５５が昇降可能な隙間が形成されている。また、これら第１および第
２スタッカ１１、１２の上下方向の間には、メディア搬送アーム５５が水平に旋回して、
これらの真上に位置できるように、隙間が開いている。したがって、メディア搬送アーム
５５をこれらのスタッカ１１、１２内の所定の高さ位置の所に位置決めできる。
【００４８】
同様に、メディア搬送アーム５５を旋回させて第３スタッカ１３の真上に移動させ、こ
の位置において昇降させることにより、メディア搬送アーム５５を第３スタッカ１３内の
所定高さ位置に位置決めできる。
【００４９】
また、第３スタッカ１３の真上が、プリンタトレイ８１のメディア受け渡し位置８１Ａ
とされ、その真上がメディアトレイ７１のメディア受け渡し位置７１Ａとされている。し
たがって、これらのメディア受け渡し位置８１Ａ、７１Ａもメディア搬送アーム５５のメ
ディア搬送経路上に位置している。
【００５０】
しかるに、第４スタッカ１４は第３スタッカ１３の手前側に隣接配置されており、メデ
ィア搬送アーム５５の旋回軌跡から外れた位置にある。すなわち、メディア搬送経路から
外れた位置にある。本例では、次のようにして、メディア２を第４スタッカ１４に収納し
ている。
【００５１】
図４は第４スタッカ１４にメディア２を収納する動作を示す説明図である。第４スタッ
カ１４にメディア２を収納する場合には、メディア搬送アーム５５によってメディア２を
把持した状態で、図４に示すように、当該メディア搬送アーム５５を、第３スタッカ１３
の真上よりも手前側の位置まで旋回させ、この位置から下降させ、第３、４スタッカ１３
、１４の左右の側板部分４９、５０の左右の上端面４９ｃ、５０ｃの真上にメディア２を
位置決めする。また、プリンタトレイ８１をそのメディア受け渡し位置８１Ａから所定量
だけ後退した位置８１Ｃに留めておく。例えば、プリンタトレイ８１の前端縁８１ａが第
３スタッカ１３のほぼ中心を横切る状態（プリンタトレイ８１によって第３スタッカ１３
の上端開口部の後側半分が覆い隠された状態）にしておく。
【００５２】
この状態でメディア搬送アーム５５からメディア２を開放し、メディア２を左右の上端
面４９ｃ、５０ｃに落下させる。プリンタトレイ８１は第４スタッカ１４の上端開口部よ
りも一段高い位置にあるので、落下したメディア２の後側の部分が最初にプリンタトレイ
８１の前端縁８１ａの部分に乗る。この結果、メディア２は全体として前方に傾いた状態
で上端面４９ｃ、５０ｃに落下し、当該上端面４９ｃ、５０ｃの前方に連続している左右
の傾斜案内面４９ｄ、５０ｄを自重により前方に滑り落ちる。この結果、メディア２が前
方に位置する第４スタッカ１４に落下して、そこに収納される。
【００５３】
ここで、落下したメディア２が上端面４９ｃ、５０ｃに落下し、そこから滑り落ちるこ
となく留まってしまうことが考えられる。このような事態を回避するためには、プリンタ
トレイ８１を移動させて、メディア２を前方に押し出して第４スタッカ１４に落下させる
ようにすればよい。
【００５４】
例えば、図５に示すように、メディア２がプリンタとレイ８１および両側の上端面４９
ｃ、５０ｃに乗った状態で止まっているとする。この状態において、プリンタトレイ８１
を、そのメディア受け渡し位置８１Ａまで前進させる。この結果、プリンタトレイ８１に
よってメディア２が押し出されて、前側の傾斜案内面４９ｄ、５０ｄに乗り上げ、ここを
滑り落ちて第４スタッカ１４に落下する。このようにして、プリンタトレイ８１によって
メディア２を押し出すことにより、メディア２を確実に第４スタッカ１４に収納すること
ができる。
【００５５】
（メディア搬送部の具体例）
図６はメディア搬送部６の具体的な構成例を示す斜視図である。先に述べたように、メ
ディア搬送部６は、装置ケース３１に対して垂直に取り付けられているシャーシ５１を備
え、このシャーシ５１の上下の水平支持板部分５２、５３の間に、垂直ガイド軸５４が取
り付けられ、この垂直ガイド軸５４にメディア搬送アーム５５が昇降および旋回可能な状
態で支持されている。
【００５６】
メディア搬送アーム５５の昇降機構は昇降用モータ５６を備えており、この昇降用モー
タ５６の回転が、そのモータ出力軸に取り付けたピニオン５７、複合伝達歯車５８、およ
び伝達歯車５９を備えた減速歯車列を介して、駆動側プーリ６１に伝達される。駆動側プ
ーリ６１は、シャーシ５１の上端近傍位置において、水平な回転軸（図示せず）を中心と
して回転自在の状態に支持されている。シャーシ５１の下端近傍位置には、同じく水平な
回転軸６２を中心として回転自在の状態で従動側プーリ６３が支持されており、これら駆
動側プーリ６１および従動側プーリ６３の間にタイミングベルト６４が架け渡されている
。このタイミングベルト６４の左右のベルト部分の一方に、メディア搬送アーム５５の後
端部分が固定されている。したがって、モータ５６を駆動すると、タイミングベルト６４
が上下方向に移動し、そこに取り付けられているメディア搬送アーム５５が垂直ガイド軸
５４に沿って昇降する。
【００５７】
次に、メディア搬送アーム５５の旋回機構は旋回用モータ６５を備えており、この旋回
用モータ６５の出力軸にはピニオン（図示せず）が取り付けられており、このピニオンの
回転が、２枚の複合伝達歯車６６、６７を備えた減速歯車列を介して、扇形の最終段歯車
６９に伝達される。扇形の最終段歯車６９は、垂直ガイド軸５４を中心として左右に旋回
可能である。また、当該最終段歯車６９には、メディア搬送アーム５５の昇降機構の構成
部品が組み付けられているシャーシ５１が搭載されている。旋回用モータ６５を駆動する
と、扇形の最終段歯車６９が左右に旋回するので、ここに搭載されているシャーシ５１が
一体となって垂直ガイド軸５４を中心として左右に旋回する。この結果、シャーシ５１に
搭載されている昇降機構によって保持されているメディア搬送アーム５５が垂直ガイド軸
５４を中心として左右に旋回する。
【００５８】
なお、メディア搬送アーム５５は、その先端側の部位の中心に、例えば、３本の把持爪
を備え、それらの一つが半径方向に移動可能となっている。これらの把持爪をメディア２
のセンターホールに差し込み、一本の爪を半径方向の外方に移動させることにより、メデ
ィア２を把持できる。この把持状態において、一本の爪を半径方向の内方に移動させるこ
とにより、メディア２を開放して把持爪から落下させることができる。このような把持機
構は、次に述べるレーベルプリンタ５におけるプリンタトレイ８１に組み込まれている把
持機構と同様である。
【００５９】
（レーベルプリンタの具体例）
図７はレーベルプリンタ５の具体例を示す斜視図であり、図８はそのプリンタトレイ８
１を示す平面図である。レーベルプリンタ５はシャーシ８３を備え、このシャーシ８３に
おける後側の左右の側板部分の間にキャリッジガイド軸８４が水平に架け渡されており、
ここに沿って、インクジェットヘッド（図示せず）が搭載されたヘッドキャリッジ８５が
左右方向に往復移動可能である。キャリッジ駆動機構は、左右方向に水平に架け渡したタ
イミングベルト８６と、これを駆動するためのキャリッジモータ８７とを備えている。
【００６０】
ヘッドキャリッジ８５に搭載されているインクジェットヘッドは、そのノズル面が下向
きとされており、当該インクジェットヘッドの下側位置を、前後方向に水平にプリンタト
レイ８１が往復移動可能となっている。プリンタトレイ８１は、その右側の端が、前後方
向に水平に延びるガイド軸８８によって支持され、その左側の端が、スライド可能な状態
で、前後方向に水平に延びるガイドレール８９によって支持されている。このプリンタト
レイ８１の駆動機構も、前後方向に水平に架け渡したタイミングベルト９０と、これを駆
動するためのトレイモータ９１を備えた構成となっている。
【００６１】
プリンタトレイ８１は、矩形の板の上面に、メディア２を載せるための円形の浅い凹部
８１１を備えている。また、当該凹部８１１の中心部には、同一円上において６０度間隔
に配置された３本の垂直爪９２〜９４を備えている。１本の垂直爪９４は半径方向に移動
可能であり、残りの２本の垂直爪９２，９３は、固定位置に配置されている。電磁ソレノ
イドなどの不図示駆動機構によって１本の垂直爪９４が移動するようになっている。
【００６２】
メディア２を、そのレーベル面２ａを上向きにして、上から凹部８１１に落とすと、図
８に示すように、メディア２のセンターホールに３本の垂直爪９２〜９４が差し込まれた
状態になる。この後に、垂直爪９４を半径方向の外方に僅かに移動すると、これら３本の
垂直爪９２〜９４がメディア２のセンターホールの内周面に内側から押し付けられた状態
になる。これにより、メディア２がプリンタトレイ８１に保持される。この状態で、トレ
イモータ９１を駆動して、プリンタトレイ８１をガイド軸８８に沿って後ろ側に移動させ
、インクジェットヘッドの印字領域内まで移動させることができる。この後は、インクジ
ェットヘッドによって、メディア２の印刷面に所定の印刷を施すことができる。
【００６３】
（作用効果）
以上説明したように本例のＣＤパブリッシャ１では、第１および第２スタッカ１１、１
２を、従来のメディア処理装置におけるブランクメディア・スタッカおよび作成済みメデ
ィア・スタッカとして用いることができる。すなわち、通常の処理動作においては、第１
スタッカ１１からブランクメディア２Ａを取り出して、メディア処理部であるメディアド
ライブ４においてデータの書き込みを行い、次に、レーベルプリンタ５においてレーベル
印刷を行う。これにより得られた作成済みメディア２Ｂが他方の第２スタッカ１２に収納
される。
【００６４】
第１および第２スタッカ１１、１２の最大収納枚数である５０枚を超える枚数のメディ
アを連続作成する場合、例えば、１００枚のメディアの連続作成を行う場合には次のよう
に処理される。まず、第１および第２スタッカ１１、１２に、それぞれブランクメディア
２Ａを５０枚ずつ収納しておく。第１スタッカ１１からブランクメディア２Ａを取り出し
て処理し、得られた作成済みメディア２Ｂをまず第３スタッカ１３に収納する。第３スタ
ッカ１３が一杯となった後、すなわち３０枚のメディア２Ｂを作成した後は、作成済みメ
ディア２Ｂを第４スタッカ１４に収納する。
【００６５】
第４スタッカ１４に作成済みメディア２Ｂを収納する場合には、図４、５を参照して説
明したように、プリンタトレイ８１が利用される。すなわち、図４に示す状態でメディア
２Ｂを落下させた後に、図５に示すようにプリンタトレイ８１を押し出す動作を行う。一
枚のメディア２Ｂの収納毎にかかるプリンタトレイ８１の押し出し動作を行うことにより
、メディア２Ｂが確実に第４スタッカ１４に収納される。
【００６６】
第４スタッカ１４が作成済みメディア２Ｂで一杯になった時点では、第１スタッカ１１
のブランクメディア２Ａが無くなり、当該第１スタッカ１１も空になる。この後は、第２
スタッカ１２からブランクメディア２Ａを取り出して処理し、得られた作成メディア２Ｂ
を空になっている第１スタッカ１１に収納する。このようにして、本例によれば、１００
枚まで連続してメディア２Ｂを作成することができる。
【００６７】
また、本例では、増設した第３スタッカ１３はプリンタトレイ８１のメディア受け渡し
位置８１Ａの下側に配置されている。メディア受け渡し位置８１Ａの下側は通常はデット
スペースとなっており、また、メディア搬送経路上に位置している。したがって、第３ス
タッカ１３を設置するためのスペースを新たに装置内において確保する必要がない。また
、メディア受け渡し位置８１Ａからプリンタトレイ８１を退避させれば、メディア搬送部
６によって当該第３スタッカ１３に対するメディアの受け渡しもできる。よって、第３ス
タッカ１３を配置したことに起因してメディア搬送部の搬送経路を変更する必要もない。
【００６８】
更に、第４スタッカ１４はメディア搬送部６のメディア搬送経路から外れた位置にある
が、プリンタトレイ８１を利用することにより、メディア搬送部６に変更を加えることな
く、メディア２Ｂを第４スタッカ１４に収納できる。また、第４スタッカ１４が、作成済
みメディア２Ｂなどを装置外部に取り出すためのメディア取り出し部として用いられてい
る。このため、メディア２Ｂを取り出すためスペースが第４スタッカ１４の設置スペース
となる。したがって、第４スタッカ１４を配置するために装置内において新たにスペース
を確保する必要がない。
【００６９】
よって、本例によれば、外部に専用スタッカを付設することなく、また、内部に増設し
た第３、４スタッカ１３、１４のために装置寸法の増加を招くことなく、メディア２の連
続作成枚数を増加させることができる。さらに、メディア搬送部６を変更することなく、
第３、４スタッカ１３、１４にメディア２を搬送して収納することができる。
【００７０】
なお、本例では、メディアドライブ４の下側にレーベルプリンタ５を配置してあるが、
上下を逆に配置することもできる。この場合には、メディアドライブ４のメディアトレイ
７１を利用してメディア２を第４スタッカ１４に収納すればよい。
【図面の簡単な説明】
【００７１】
【図１】本発明を適用したＣＤパブリッシャの概略構成図である。
【図２】ＣＤパブリッシャの具体例を示す外観斜視図である。
【図３】ＣＤパブリッシャの内部の主要部分の斜視図である。
【図４】ＣＤパブリッシャの第４スタッカへのメディア収納動作を示す説明図である。
【図５】ＣＤパブリッシャの第４スタッカへのメディア収納動作を示す説明図である。
【図６】ＣＤパブリッシャのメディア搬送部の具体例を示す斜視図である。
【図７】ＣＤパブリッシャのレーベルプリンタの具体例を示す斜視図である。
【図８】図７のレーベルプリンタのメディアトレイを示す平面図である。
【符号の説明】
【００７２】
１  ＣＤパブリッシャ、２、２Ａ、２Ｂ  メディア、２ａ  レーベル印刷面、３  メディ
ア保管部、４  メディアドライブ、５  レーベルプリンタ、６  メディア搬送部、７  制
御部、８  上位機器、１１  第１スタッカ、１２  第２スタッカ、１３  第３スタッカ、
１４  第４スタッカ、３１  装置ケース、３１ａ  メディア取り出し口、４９ｃ，５０ｃ
上端面、４９ｄ，５０ｄ  傾斜案内面、７１  メディアトレイ、８１  プリンタトレイ
、７１Ａ，８１Ａ  メディア受け渡し位置、８１Ｃ  位置、８１ａ  縁端部
【図１】
2007305273.tif 000003
【図２】
2007305273.tif 000004
【図３】
2007305273.tif 000005
【図４】
2007305273.tif 000006
【図５】
2007305273.tif 000007
【図６】
2007305273.tif 000008
【図７】
2007305273.tif 000009
【図８】
2007305273.tif 000010